(57)【要約】【課題】  ポータブルトイレ８へのセット／取り出し・運搬が容易で、排便とともに破砕でき、既設の下水道に流すことができる排便容器を提供する。【解決手段】  撥水性を備えた容器部１と、容器部１の開口の縁１０から外方へ張り出された張出部２を有するパルプモールド製の排便容器。容器部１は、開口及び底部１２を垂直に二分割する仮想平面９について面対称形状を成し、側壁部１１は仮想平面９と交叉する２箇所の仮想交叉部１０９に於いて容器外方へ鋭角的に突出する鋭角突出部１９を有する。張出部２は、仮想平面９と交叉する２箇所の仮想交叉部２０９に於いて切離されることにより分断される２部分２ａ，２ｂから成り、その各々は、容器部１の開口の縁１０に沿って内側から内溝部２１、長手状凸部２２、外溝部２３を有する。鋭角突出部１９の突出先端部分１９０を折り曲げ用の補助線として側壁部１１を内方へ倒しつつ２部分２ａ，２ｂを相互に近づけてそれらの外溝部２３の外側壁２３３，２３３を重ね合わせ得る。【選択図】  図１
2019042210.tif 000002
【特許請求の範囲】
【請求項１】
撥水性を備えた容器部と、該容器部の開口の縁から外方へ張り出すように設けられた張出部とを有し、
前記容器部は、その開口及び底部を垂直に二分割する仮想平面について面対称形状を成し、その側壁部は前記仮想平面と交叉する２箇所の各仮想交叉部に於いて少なくとも開口寄りの上部が容器外方へ鋭角的に突出する鋭角突出部を有し、
前記張出部は、前記仮想平面と交叉する２箇所の各仮想交叉部に於いて切離されることにより分断される２部分から成り、該２部分の各々は、前記容器部の開口の縁に沿って設けられた内溝部と、該内溝部の外側に該内溝部に沿って設けられた長手状凸部と、該長手状凸部の外側に該長手状凸部に沿って設けられた外溝部とを有し、
前記鋭角突出部の突出先端部分を折り曲げ用の補助線として前記側壁部を内方へ倒しつつ、前記張出部の２部分を相互に近づけて前記容器部の開口を覆うとともに、該２部分の外溝部付近を当接させて両外溝部の外側壁を重ね合わせ得る、
ことを特徴とするパルプモールド製の排便容器。
【請求項２】
請求項１に於いて、
前記外溝部は長手方向の両端に於いてそれぞれ前記内溝部に連通されており、
前記張出部が切離される２箇所の各切離部は、前記容器部の開口の縁から水平に延設された水平延設部内に位置し、
前記内溝部に前記外溝部が連通される長手方向両端の各溝端連通部は、前記水平延設部によって前記切離部から隔てられている、
ことを特徴とするパルプモールド製の排便容器。
【請求項３】
請求項２に於いて、
少なくとも一方の前記溝端連通部と該溝端連通部を前記切離部から隔てる前記水平延設部との間には、当該溝端連通部から窪む溝端凹部が介在されている、
ことを特徴とするパルプモールド製の排便容器。
【請求項４】
請求項１〜請求項３の何れかに於いて、
前記容器部は、前記底部と前記側壁部が連なる部位で且つ前記鋭角突出部の下方の部位に、前記底部及び前記側壁部から内方へ突出する凸部を有する、
ことを特徴とするパルプモールド製の排便容器。
【請求項５】
請求項１〜請求項４の何れかに於いて、
前記容器部の開口の縁は、前記２箇所の仮想交叉部を両端としたときの中央付近では面対称形状の対応部位が略平行を成す、
ことを特徴とするパルプモールド製の排便容器。
【請求項６】
請求項１〜請求項５の何れかに於いて、
製造原料に撥水剤を含有する、
ことを特徴とするパルプモールド製の排便容器。
【請求項７】
請求項１〜請求項６の何れかに於いて、
前記張出部は、ポータブルトイレの基部容器の開口の縁上に載置可能であり、且つ、便座の下面側の凹部内に略収容可能である、
ことを特徴とするパルプモールド製の排便容器。
【発明の詳細な説明】
【技術分野】
【０００１】
本発明は、容器部と、該容器部の開口の縁から張り出すように設けられた張出部とを備えたパルプモールド製の排便容器に関する。
本発明の排便容器は、ポータブルトイレの縁上に張出部をセットし、排便後、ポータブルトイレから取り出して、容器の開口を張出部で覆った状態で所定の処理装置へ運び、該処理装置にて大小便とともに破砕して下水道へ流す用途に好適である。
【背景技術】
【０００２】
歩行困難な病人等のために、ベッドの脇に置いて使用される種々のポータブルトイレが提供されている。それらのポータブルトイレでは、介護者等の負担を軽減するため、使用の都度トイレ全体を清掃するのではなく、ポータブルトイレにシート等をセットして使用した後、排便を当該シート等とともに取り出して焼却処理等している。
特開２００９−０７２４２９号公報（特許文献１）には、かかる用途に用いる便収容袋が開示されており、また、特開２０１０−２６４１０９号公報（特許文献２）にも、同様の用途の排便シートが開示されている。
【０００３】
介護者の負担軽減のために用いられる上記シート等であって、使用後にポータブルトイレから取り出して、排便とともに下水道へ流し得るものは提供されていない。
【先行技術文献】
【特許文献】
【０００４】
【特許文献１】特開２００９−０７２４２９号公報
【特許文献２】特開２０１０−２６４１０９号公報
【発明の概要】
【発明が解決しようとする課題】
【０００５】
介護者の負担軽減のための上記シート等（排便容器）を、ポータブルトイレから取り出した後、収容した排便とともに下水道に流すことができれば、既設の水洗トイレ用の下水道設備をそのまま利用でき、病院や介護施設等の設備負担が軽減される。
しかし、特許文献１に開示の便収容袋や特許文献２に開示の排便シートは、このような処理を想定したものではなく、既設の下水道に流すことはできない。
このため、特許文献１や２の排便シート等では、焼却処理等のための比較的大がかりな設備を別途設けるか、又は、取り出した後の処理に多大な手間隙を要する。
【０００６】
排便とともに容易に破砕して下水道に流し得る排便容器の材質としては、パルプモールドを挙げることができる。しかしながら、ポータブルトイレへのセットを容易且つ確実に行うことができ、且つ、排便とともに取り出して運ぶ作業が容易なパルプモールド製の排便容器は提供されていない。
本発明は、ポータブルトイレへのセット／取り出し作業を容易且つ確実に行うことができ、処理装置までの運搬作業が容易であり、収容した排便とともに破砕でき、破砕後、既設の水洗トイレ用の下水道に流すことができる排便容器を提供することを目的とする。
【課題を解決するための手段】
【０００７】
本発明の構成を、下記［１］〜［７］に記す。なお、この項（［課題を解決するための手段］）と次項（［発明の効果］）に於いて、符号は理解を容易にするために付したものであり、本発明を符号の構成に限定する趣旨ではない。
【０００８】
［１］構成１
撥水性を備えた容器部１と、該容器部１の開口の縁１０から外方へ張り出すように設けられた張出部２とを有し、
前記容器部１は、その開口及び底部１２を垂直に二分割する仮想平面９について面対称形状を成し、その側壁部１１は前記仮想平面９と交叉する２箇所の各仮想交叉部１０９に於いて少なくとも開口寄りの上部が容器外方へ鋭角的に突出する鋭角突出部１９を有し、
前記張出部２は、前記仮想平面９と交叉する２箇所の各仮想交叉部２０９に於いて切離されることにより分断される２部分２ａ，２ｂから成り、該２部分２ａ，２ｂの各々は、前記容器部１の開口の縁１０に沿って設けられた内溝部２１と、該内溝部２１の外側に該内溝部２１に沿って設けられた長手状凸部２２と、該長手状凸部２２の外側に該長手状凸部２２に沿って設けられた外溝部２３とを有し、
前記鋭角突出部１９の突出先端部分１９０を折り曲げ用の補助線として前記側壁部１１を内方へ倒しつつ、前記張出部２の２部分２ａ，２ｂを相互に近づけて前記容器部１の開口を覆うとともに、該２部分２ａ，２ｂの外溝部２３付近を当接させて両外溝部２３，２３の外側壁２３３，２３３を重ね合わせ得る、
ことを特徴とするパルプモールド製の排便容器１００。
パルプモールド製の排便容器１００を製造するパルプモールド成形法とは、植物繊維を含む古紙等の材料を水に溶かした泥漿中に、所定の製品形状（本願では、容器部１や張出部２を備えた排便容器１００の形状）を転写するための型面を有する金型（成形型）を浸漬し、型面に開口する多数の細孔を通して吸引し、その表面の金網上にパルプ繊維を付着させて堆積させた後、剥離し、乾燥させることにより成形品を得る手法である。パルプモールド成形法は公知であるため、これ以上の説明は割愛する。
容器部１への撥水性の付与は、上記泥漿中に撥水剤を添加して行ってもよく、また、パルプモールド成形後に撥水剤を塗布して行ってもよい。
【０００９】
［２］構成２
構成１に於いて、
前記外溝部２３は長手方向の両端に於いてそれぞれ前記内溝部２１に連通されており、
前記張出部２が切離される２箇所の各切離部２０９Ｌは、前記容器部１の開口の縁１０から水平に延設された水平延設部２５内に位置し、
前記内溝部２１に前記外溝部２３が連通される長手方向両端の各溝端連通部２４，２４は、前記水平延設部２５，２５によって前記切離部２０９Ｌ，２０９Ｌから隔てられている、
ことを特徴とするパルプモールド製の排便容器１００。
切離部２０９Ｌは、パルプモールド成形後に切り離すことによって構成してもよく、また、パルプモールド成形時に薄板材を介在させて成形してもよい。
［３］構成３
構成２に於いて、
少なくとも一方の前記溝端連通部２４と該溝端連通部２４を前記切離部２０９Ｌから隔てる前記水平延設部２５との間には、当該溝端連通部２４から窪む溝端凹部２６が介在されている、
ことを特徴とするパルプモールド製の排便容器１００。
【００１０】
［４］構成４
構成１〜構成３の何れかに於いて、
前記容器部１は、前記底部１２と前記側壁部１１が連なる部位で且つ前記鋭角突出部１９の下方の部位に、前記底部１２及び前記側壁部１１から内方へ突出する凸部１５を有する、
ことを特徴とするパルプモールド製の排便容器１００。
［５］構成５
構成１〜構成４の何れかに於いて、
前記容器部１の開口の縁１０は、前記２箇所の仮想交叉部１０９，１０９を両端としたときの中央付近１０ｃでは面対称形状の対応部位が略平行を成す、
ことを特徴とするパルプモールド製の排便容器１００。
［６］構成６
構成１〜構成５の何れかに於いて、
製造原料に撥水剤を含有する、
ことを特徴とするパルプモールド製の排便容器１００。
［７］構成７
構成１〜構成６の何れかに於いて、
前記張出部２は、ポータブルトイレ８の基部容器８０の開口の縁上に載置可能であり、且つ、便座８１の下面側の凹部８１０内に略収容可能である、
ことを特徴とするパルプモールド製の排便容器１００。
【発明の効果】
【００１１】
構成１は、撥水性を備えた容器部１と、該容器部１の開口の縁１０から外方へ張り出すように設けられた張出部２とを有し、前記容器部１は、その開口及び底部１２を垂直に二分割する仮想平面９について面対称形状を成し、その側壁部１１は前記仮想平面９と交叉する２箇所の各仮想交叉部１０９に於いて少なくとも開口寄りの上部が容器外方へ鋭角的に突出する鋭角突出部１９を有し、前記張出部２は、前記仮想平面９と交叉する２箇所の各仮想交叉部２０９に於いて切離されることにより分断される２部分２ａ，２ｂから成り、該２部分２ａ，２ｂの各々は、前記容器部１の開口の縁１０に沿って設けられた内溝部２１と、該内溝部２１の外側に該内溝部２１に沿って設けられた長手状凸部２２と、該長手状凸部２２の外側に該長手状凸部２２に沿って設けられた外溝部２３とを有し、前記鋭角突出部１９の突出先端部分１９０を折り曲げ用の補助線として前記側壁部１１を内方へ倒しつつ、前記張出部２の２部分２ａ，２ｂを相互に近づけて前記容器部１の開口を覆うとともに、該２部分２ａ，２ｂの外溝部２３付近を当接させて両外溝部２３，２３の外側壁２３３，２３３を重ね合わせ得るパルプモールド製の排便容器１００であるため、ポータブルトイレへのセット／取り出し作業を容易・確実に行うことができる。また、上記２部分２ａ，２ｂの外溝部２３，２３の外側壁２３３，２３３を重ね合わせることで、該外溝部の内側壁２３１，２３１（＝長手状凸部２２の外側壁２２３，２２３）を把手として用いることができるため、収容した排便とともに処理装置まで運搬する作業を片手で容易に行うことができる。さらに、該処理装置にて収容した排便とともに破砕した後、既設の水洗トイレ用の下水道に流すことができる。
構成２は、構成１に於いて、前記外溝部２３は長手方向の両端に於いてそれぞれ前記内溝部２１に連通されており、前記張出部２が切離される２箇所の各切離部２０９Ｌは、前記容器部１の開口の縁１０から水平に延設された水平延設部２５内に位置し、前記内溝部２１に前記外溝部２３が連通される長手方向両端の各溝端連通部２４，２４は、前記水平延設部２５，２５によって前記切離部２０９Ｌ，２０９Ｌから隔てられているパルプモールド製の排便容器１００であるため、前記突出先端部１９０を折り曲げ用の補助線として前記側壁部１１を内方へ倒しつつ前記張出部２の２部分２ａ，２ｂで前記容器部１の開口を覆うことにより前記切離部２０９Ｌが開かれるときの当該切離部２０９Ｌ付近への応力の集中を緩和でき、強度を高めることができる。
構成３は、構成２に於いて、少なくとも一方の前記溝端連通部２４と該溝端連通部２４を前記切離部２０９Ｌから隔てる前記水平延設部２５との間には、当該溝端連通部２４から窪む溝端凹部２６が介在されているパルプモールド製の排便容器１００であるため、前記突出先端部１９０を折り曲げ用の補助線として前記側壁部１１を内方へ倒しつつ前記張出部２の２部分２ａ，２ｂで前記容器部１の開口を覆うことにより前記切離部２０９Ｌが開かれるときの当該切離部２０９Ｌ付近への応力の集中を更に緩和でき、強度を更に高めることができる。
構成４は、構成１〜構成３の何れかに於いて、前記容器部１は、前記底部１２と前記側壁部１１が連なる部位で且つ前記鋭角突出部１９の下方の部位に、前記底部１２及び前記側壁部１１から内方へ突出する凸部１５を有するパルプモールド製の排便容器１００であるため、前記突出先端部１９０を折り曲げ用の補助線として前記側壁部１１を内方へ倒すときの底部１２及び側壁部１１への応力の集中を緩和でき、強度を高めることができる。
構成５は、構成１〜構成４の何れかに於いて、前記容器部１の開口の縁１０は、前記２箇所の仮想交叉部１０９，１０９を両端としたときの中央付近１０ｃでは面対称形状の対応部位が略平行を成すパルプモールド製の排便容器１００であるため、前記突出先端部１９０を折り曲げ用の補助線として前記側壁部１１を内方へ倒しつつ前記張出部２の２部分２ａ，２ｂで前記容器部１の開口を覆うときの応力の集中を緩和でき、強度を高めることができる。
構成６は、構成１〜構成５の何れかに於いて、製造原料に撥水剤を含有するパルプモールド製の排便容器１００であるため、成形時に撥水性を付与でき、後工程で撥水材を塗布する必要がない。
構成７は、構成６に於いて、前記張出部２は、ポータブルトイレ８の基部容器８０の開口の縁上に載置可能であり、且つ、便座８１の下面側の凹部８１０内に略収容可能であることを特徴とするパルプモールド製容器１００であるため、ポータブルトイレ８に好適に用いることができる。
【図面の簡単な説明】
【００１２】
【図１】（ａ）は実施の形態のパルプモールド製の排便容器の上面図、（ｂ）は図１（ａ）内Ｂ−Ｂ線断面図。
【図２】（ａ）は図１（ａ）内２Ａ−２Ａ線断面図、（ｂ）は実施の形態のパルプモールド製排便容器の斜視図（図１（ａ）での左下方紙面上方から見た斜視図）。
【図３】（ａ）は実施の形態のパルプモールド製排便容器の斜視図（図１（ａ）での右下方紙面上方から見た斜視図）、（ｂ）は図１（ａ）での右上方紙面上方から見た斜視図。
【図４】（ａ）は実施の形態のパルプモールド製の排便容器を図１（ａ）での左下方紙面若干上方から見た斜視図、（ｂ）は（ａ）に於いて張出部２ａ，２ｂを相互に近づけ始めた状態を示す斜視図。
【図５】（ａ）は図４（ｂ）の状態から更に張出部２ａ，２ｂを近づけて当接させた状態を示す斜視図、（ｂ）は実施の形態のパルプモールド製の排便容器をポータブルトイレ８にセットした様子を示す斜視図。
【発明を実施するための形態】
【００１３】
図面を参照して、本発明の実施の形態を説明する。図１〜図３は実施の形態のパルプモールド製の排便容器１００を示す図、図４〜図５（ａ）は該排便容器１００を折り曲げる様子を示す斜視図、図５（ｂ）は該排便容器１００をポータブルトイレ８にセットした様子を示す斜視図である。
【００１４】
図示の排便容器１００はパルプモールド成形法により製造された製品であり、容器部１と、該容器部１の開口の縁１０から容器外方へ張り出すように該容器部１と一体に設けられた張出部２とを有する。パルプモールド成形法とは、植物繊維を含む古紙等の材料を水に溶かした泥漿中に、所定の製品形状（容器部１や張出部２を備えた排便容器１００の形状）を転写するための型面を有する金型（成形型）を浸漬し、型面に開口する多数の細孔を通して泥漿を吸引し、型面上に設けられている金網上にパルプ繊維を付着させて堆積させた後、金網上から剥離し、乾燥させることにより成形品を得る手法である。
【００１５】
この排便容器１００は、ポータブルトイレ８にセットして使用するものであり、大小便を収容するものであるので、原料の泥漿中に公知の撥水剤（例：パラフィン系エマルジョン，ロジン乳化液，ロジンサイズ，アルキルケテンダイマー，等）を、公知の手法により添加することで、所要の防水性能を確保している。なお、撥水剤を成形品に塗布することで、防水性能を確保してもよい。パルプモールド成形法や、原料の泥漿中に撥水剤を添加し／成形品に塗布する手法は公知であるため、これ以上の説明は割愛する。
【００１６】
容器部１及び張出部２は、容器部１の開口及び底部１２を垂直に二分割する仮想平面９について、面対称形状を成す。容器部１と仮想平面９との仮想交叉部を１０９で、張出部２と仮想平面９との仮想交叉部を２０９で、それぞれ図中に示す。
【００１７】
容器部１の側壁部１１は、仮想平面９と交叉する前後２箇所の各仮想交叉部１０９に於いて、容器外方へ鋭角的に突出する鋭角突出部１９を有する。ここで、前／後とは、排便容器１００をポータブルトイレ８にセットしたとき（図５（ｂ）参照）の使用者を基準とし、以下、同様とする。左／右についても同様である。
【００１８】
鋭角突出部１９の突出先端部分１９０は線状を成し、後述するように、折り曲げ用の補助線として用いられる。この鋭角突出部１９は、前方側では容器部１の開口寄りの上部にのみ形成されて開口の縁１０に至っているが、下部には形成されていない。即ち、前方側では鋭角突出部１９と底部１２との間に前方凸部１５が設けられており、側壁部１１及び底部１２から容器内方へ突出されている。これにより、側壁部１１を折り曲げるときの底部１２等への応力の集中が緩和される。一方、後方側では、鋭角突出部１９は、その下端が底部１２に至り、上端が開口の縁１０に至るように形成されている。
【００１９】
張出部２は、仮想平面９と交叉する前後２箇所の各仮想交叉部２０９に於いて切離されており、切離部２０９Ｌにて分断された２部分２ａ，２ｂから成る。以下、張出部２ａを右張出部、張出部２ｂを左張出部とも言う。前後２箇所の切離部２０９Ｌは、パルプモールド成形後に成形品の仮想交叉部２０９を刃で切断することにより形成してもよく、パルプモールド成形時に当該部位に板材を介在させることにより形成してもよい。
【００２０】
張出部２の２部分である右張出部２ａと左張出部２ｂの各々は、容器部１の開口の縁１０に沿って設けられた内溝部２１と、該内溝部２１の外側に該内溝部２１に沿って設けられた長手状凸部２２と、該長手状凸部２２の外側に該長手状凸部２２に沿って設けられた外溝部２３とを有し、内溝部２１と外溝部２３とは、長手方向の両端に於いて相互に連通されている。言い換えれば、内溝部２１と外溝部２３とによって、長手状凸部２２は、島状に囲まれている。内溝部２１と外溝部２３とが連通されている部位を、図中に、溝端連通部２４として示す。
【００２１】
張出部２を切離・分断する前後２箇所の各切離部２０９Ｌは、容器部１の開口の縁１０から水平に延設された水平延設部２５内に位置しており、溝端連通部２４からは隔てられている。さらに、前方側では、溝端連通部２４と水平延設部２５の間に、溝端連通部２４から窪むように形成された溝端凹部２６が設けられている。言い換えれば、切離部２０９Ｌから或る幅をもって延設された水平延設部２５の延設側先端から下垂するようにして溝端凹部２６が形成されているとともに、該溝端凹部２６は、溝端連通部２４の先端側からも下垂ようにして形成されている。このように、切離部２０９Ｌと溝端連通部２４との間に水平延設部２５（及び前方側では溝端凹部２６）が設けられているため、突出先端部１９０を折り曲げ用の補助線として側壁部１１を内方へ倒しつつ張出部２の２部分２ａ，２ｂで容器部１の開口を覆うことによって切離部２０９Ｌが開かれるときの該切離部２０９Ｌ付近への応力の集中を緩和でき、強度を高めることができる。
【００２２】
容器部１の開口の縁１０の前後方向の中央付近（張出部２の前後２箇所の仮想交叉部１０９，１０９を両端としたときの中央付近）では、該開口の縁１０は面対称形状の対応部位が略平行を成し、この略平行な部位では、開口の縁１０は外側へ或る幅を持って延設されることなく直ちに下垂されており、この下垂された部位が、内溝部２１の当該略平行な部位での内壁部とされている。
【００２３】
両張出部２ａ，２ｂの下面側を手で持って閉じるように内側上方へ押すと、前後２つの鋭角突出部１９の突出先端部分１９０が折り曲げ用の補助線（案内ライン）として機能するとともに、開口の縁１０の中央付近（上述の略平行な部分）が同様に機能する。これにより、容器部１の側壁部１１の仮想平面９を挟む左右面対称の対応部位が相互に近づくように容器部１の内方へ押し倒され始める。さらに両張出部２ａ，２ｂを押し続けて、両張出部２ａ，２ｂの先端（前後方向中央寄りの外溝部２３の外壁部２３３の上端）を相互に当接させて、左右の外溝部２３の外側壁２３３を重ね合わせると、両張出部２ａ，２ｂによって容器部１の開口の大部分が覆われる。即ち、容器部１に収容されている排便が、両張出部２ａ，２ｂによって隠される。
【００２４】
両張出部２ａ，２ｂは、前述のように、内溝部２１の外側に長手状凸部２２を有し、さらに、その外側に外溝部２３を有する。このため、両張出部２ａ，２ｂの先端側（外溝部２３付近）を当接させて左右の外溝部２３の外壁部２３３を重ね合わせた状態では、両張出部２ａ，２ｂが全体として略鉛直方向を向き、したがって、長手状凸部２２の外壁部２２３（＝外溝部２３の内側壁２３１）が略水平方向を向いている。このため、この壁面を把手として用いることができる。
【００２５】
また、長手状凸部２２の外壁部２２３（＝外溝部２３の内側壁２３１）を把手として用いたとしても、内溝部２１の外側に長手状凸部２２が設けられ、且つ、該長手状凸部２２の外側に外溝部２３が設けられているため、把手としての十分な強度を確保することができる。したがって、忙しい介護者でも、排便が収容された排便容器１００を、片手で持って運ぶことができる。
【００２６】
かかる構成の排便容器１００は、図５（ｂ）に示すように、その張出部２ａ，２ｂをポータブルトイレ８の基部容器８０の開口の縁上に載置した後、その上に、便座８１を被せて使用される。このため、張出部２ａ，２ｂのサイズは、便座８１の下面側の凹部８１０内に略収容可能なサイズとされている。
【符号の説明】
【００２７】
１００  排便容器（パルプモールド製の排便容器）
１  容器部
１０  開口の縁
１０ｃ  開口の縁の中央付近
１００  パルプモールド製容器
１１  側壁部
１２  底部
１５  凸部（前方凸部）
１９  鋭角突出部
１９０  突出先端部分
１０９  （容器部１の側壁部１１の）仮想交叉部
２  張出部
２ａ  右張出部
２ｂ  左張出部
２１  内溝部（縁溝部）
２２  長手状凸部
２２２  長手状凸部の上面
２２３  長手状凸部の外側壁
２３  外溝部
２３１  外溝部の内側壁
２３３  外溝部の外側壁
２４  溝端連通部
２５  水平延設部
２６  溝端凹部
２０９  （張出部２の）仮想交叉部
２０９Ｌ  切離部
８  ポータブルトイレ
８０  基部容器
８１  便座
８１０  （便座８１の下面側の）凹部
９  仮想平面
【図１】
2019042210.tif 000003
【図２】
2019042210.tif 000004
【図３】
2019042210.tif 000005
【図４】
2019042210.tif 000006
【図５】
2019042210.tif 000007